(57)【特許請求の範囲】
【請求項１】
集塵室とこの集塵室を負圧にする電動送風機とが設けられた掃除機本体と、底面に吸込開口が形成されるとともに前記集塵室に連通される吸込室を有する吸込口体とを備え、前記電動送風機から排気される空気を前記吸込口体の吸込室へ循環させる電気掃除機であって、
前記集塵室を形成した集塵ケースと前記電動送風機とを一体化してユニットを形成し、前記電動送風機から排気される空気を吸込口体側へ循環させるための循環風路を前記ユニットに一体に設け、このユニットと循環風路とを本体ケースで覆ったことを特徴とする電気掃除機。
【請求項２】
前記循環風路を外付けのパイプで形成したことを特徴とする請求項１の電気掃除機。
【請求項３】
前記パイプは、長手方向に沿って２分割された半割体で構成されていることを特徴とする請求項２の電気掃除機。
【請求項４】
前記パイプと前記ユニットとの接合部が外れないように、ユニットを覆う本体ケースの内側に突部を設けてパイプを押さるようにしたことを特徴とする請求項２または請求項３の電気掃除機。
【発明の詳細な説明】
【０００１】
【発明の属する技術分野】
この発明は、集塵室を負圧にする電動送風機を備えた電気掃除機に関する。
【０００２】
【従来の技術】
従来から、集塵室とこの集塵室を負圧にする電動送風機とを設け掃除機本体と、底面に吸込開口を形成した吸込室を有する吸込口体とを備え、電動送風機から排気される空気を吸込口体の吸込室へ循環させる電気掃除機が知られている。
【０００３】
かかる電気掃除機は、電動送風機から排気される空気を吸込口体の吸込室へ循環させる循環風路を本体ケースを利用して形成し、さらに、集塵室を本体ケースで形成している。
【０００４】
【発明が解決しようとする課題】
このため、循環風路の構造が複雑なものになってしまい、また、本体ケースも複雑な構造になってしまう等の問題があった。
【０００５】
この発明は、上記事情に鑑みてなされたもので、その目的は、循環風路の構造を簡単にすることができ、しかも本体ケースの構造も簡単にすることのできる電気掃除機を提供することにある。
【０００６】
【課題を解決するための手段】
上記目的を達成するため、請求項１の発明は、集塵室とこの集塵室を負圧にする電動送風機とが設けられた掃除機本体と、底面に吸込開口が形成されるとともに前記集塵室に連通される吸込室を有する吸込口体とを備え、前記電動送風機から排気される空気を前記吸込口体の吸込室へ循環させる電気掃除機であって、
前記集塵室を形成した集塵ケースと前記電動送風機とを一体化してユニットを形成し、前記電動送風機から排気される空気を吸込口体へ循環させるための循環風路を前記ユニットに一体に設け、このユニットと循環風路とを本体ケースで覆ったことを特徴とする。
【０００７】
請求項２の発明は、前記循環風路を外付けのパイプで形成したことを特徴とする。
【０００８】
請求項３の発明は、前記パイプは、長手方向に沿って２分割された半割体で構成されていることを特徴とする。
【０００９】
請求項４の発明は、前記パイプと前記ユニットとの接合部が外れないように、ユニットを覆う本体ケースの内側に突部を設けてパイプを押さえるようにしたことを特徴とする。
【００１０】
【実施の形態】
以下、この発明に係る電気掃除機の実施形態を図面に基づいて説明する。
【００１１】
図１に示す電気掃除機１０は、掃除機本体１１と、この掃除機本体１１の接続口１２に一端が着脱自在に接続されるホース１３と、このホース１３の他端に設けられた手元操作部１４に着脱自在に接続される延長管１５と、この延長管の先端部に着脱自在に接続される吸込口体１６とを備えている。
【００１２】
吸込口体１６には図示しない回転清掃体とこの回転清掃体を回転させるブラシモータ(図示せず)とが設けられている。手元操作部１４の操作パネル１４Ａには後述する電動送風機６０のパワーの設定や電源を切ったり前記ブラシモータをオンオフしたりする複数のスイッチが設けられている。電動送風機６０はインバータ制御によって駆動する図示しないＤＣブラシレスモータ（駆動部）を備えている。
【００１３】
ホース１３は２重構造となっており、内側の内ホース１３Ａ(図示せず)が塵埃を吸引していく吸引風路を形成し、外側の外ホース１３Ｂが掃除機本体１１から排気される空気を吸込口体１６へ案内するための排気風路を形成している。同様に、延長管１５も２重構造となっており、内側の管１５Ａ(図示せず)が塵埃を吸引していく吸引風路を形成するとともに内ホース１３Ａに連通されている。外側の管１５Ｂは、掃除機本体１１から排気される空気を吸込口体１６へ案内する排気風路を形成するとともに外ホース１３Ｂに連通している。
【００１４】
吸込口体１６内には、下面に吸込開口(図示せず)を形成するとともに上記回転清掃体を回転自在に設けた図示しない吸込室と、循環してきた空気を吸込室へ排出する吹出口(図示せず)とが設けられている。前記吸込室は延長管１５の内管Ａに連通し、前記吹出口と延長管１５の外管１５Ｂとが連通している。
【００１５】
掃除機本体１１は、図２ないし図５に示すように、下ケース（本体ケース：外ケース）２０と、この下ケース２０の上に取り付けられた上ケース（本体ケース：外ケース）３０と、集塵室４０を形成した集塵ケース４１と、この集塵ケース４１の後部に取り付けられた電動送風機６０と、この電動送風機６０の外周に取り付けられたコードリール７０と、電動送風機６０から排気される空気を後述する接続管４５の外管４５Ｂへ案内する排気風路管（パイプ）８０と、集塵ケース４１の下側に取り付けられた制御部９０と、掃除機本体１１の前面部を形成する前端面板１００とを備えている。
【００１６】
下ケース２０は、底壁２１と、この底壁２１の後部の両側に形成された側壁部２２,２２とを有し、側壁部２２,２２には後輪２３,２３が回動自在に取り付けられている。底壁２１の後端には側壁２２,２２に連続した後壁２４が形成され、この後壁２４の前に支持壁２５が形成されている。また、底壁２１の中間位置よりやや後ろ側には後述する風路ケース５５を支持する円弧状の支持リブ２６が形成され、底壁２１の前側には集塵ケース４１を固定するためのネジボス２７,２８が前後に且つ左右に一対設けられている。
【００１７】
また、下ケース２０の底壁２１には上ケース３０に取り付けるための６つのネジボスＮＢが形成されている。底壁２１の前側の下面には突起２９が形成され、この突起２９には図示しないキャスタが取り付けられている。
【００１８】
上ケース３０は、図６に示すように、ほぼカマボコ状に形成されたカバー部３１から形成され、このカバー部３１の前側に開口３２が形成されている。この開口３２内には集塵ケース４１の上部が嵌合するようになっている。カバー部３１にはコードリール７０に巻かれたコード(図示せず)を引き出すための孔３１Ｈが形成され、カバー部３１の後壁部３１Ａの内側には支持壁３３が形成されている。また、カバー部３１の内側には風路ケース５５を押さえる円弧状の押えリブ３４が形成されている。
【００１９】
カバー部３１の前側の側壁部３１Ｂには、図５および図７に示すように排気風路管８０を押さえるための３つのリブ３８が形成されている。また、カバー部３１の内側には下ケース２０のネジボスＮＢに接合して上ケース３０を下ケース２０に固定するための６つのネジボス３５等が形成されている。
【００２０】
また、カバー部３１には開口３２の後ろには集塵ケース４１の後部上端に当接する当接部Ｔaが形成され、その開口３２の前には集塵ケース４１の前部の上端に当接する当接部Ｔbが形成されている。また、上ケース３０には開閉自在に蓋３６が取り付けられており、この蓋３６を閉めることによって集塵ケース４１の開口４２が閉塞されるようになっている。
【００２１】
集塵ケース４１は、上面および後面に開口４２,４３が形成された筺体で形成されており、集塵ケース４１の前壁４４には２重の接続管４５が取り付けられている。接続管４５の内管４５Ａは集塵室４０に連通し、接続管４５の外管４５Ｂには排気風路管８０の接続口８１が嵌合する接続口４６が設けられている。集塵ケース４１の開口４３には格子状の仕切壁４６が取り付けられている。また、その開口４３には二次フィルタＦを取り付けたフィルタ枠４７が仕切壁４６の前に取り付けられている。
【００２２】
集塵ケース４１の下面に設けたネジボス４８,４９には回路基板５０が取り付けられており、この回路基板５０の下面には電動送風機６０を制御する制御回路を構成する各種の電子部品(図示せず)が取り付けられている。また、ネジボス４８,４９には回路基板５０に取り付けた電子部品を保護するカバー５１が取り付けられている。そして、回路基板５０と電子部品等により制御部９０が構成され、この制御部９０が集塵ケース４１の下側に一体に取り付けられている。
【００２３】
集塵ケース４１の後端面には金属製の整流板５２がネジ(図示せず)によって固定されている。整流板５２のほぼ中央部には開口５３が形成され、この開口５３の周辺部にはその開口５３へ空気を案内するために後方へ凹んだ整流部５２Ａが形成されている。整流板５２には、風路ケース５５が図示しないネジにより固定されている。
【００２４】
風路ケース５５は、内側にある円筒状の内ケース５６と、この内ケース５６の外側にある外ケース５７とを有している。外ケース５７は、内ケース５６の前端に連続形成された端板５８を介して一体的に形成された環状部５７Ａと、この環状部５７Ａの後端に取り付けられたカップ状のカップ部５７Ｂとを有している。環状部５７Ａには排気風路管８０の接続口８２が嵌合する接続口５７cが設けられている。そして、内ケース５６と外ケース５７とによって排気用の排気風路５８が形成されている。
【００２５】
内ケース５６の後板５６Ａには複数の穴５６bが形成され、この穴５６bを介して内ケース５６内と排気風路５８とが連通している。内ケース５６内には防振材６１を介して電動送風機６０が固定され、電動送風機６０の吸気口６２が整流板５２の開口５３に接合されており、吸気口６２から集塵室４０の空気を吸引するようになっている。
【００２６】
そして、集塵ケース４１と整流板５２と風路ケース５５と電動送風機６０とコードリール７０とが一体となって集塵ユニット１２０を構成し、電動送風機６０は風路ケース５５および整流板５２を介して集塵ケース４１に一体となっている。集塵ケース４１は、ネジボス４８,４９が下ケース２０のネジボス２７,２８にネジ(図示せず)により固定されることにより下ケース２０に取り付けられる。また、風路ケース５５は下ケース２０の支持リブ２６と上ケース３０の押えリブ３４とによって保持される。
【００２７】
外ケース５７のカップ部５７Ｂの後板６３には後方へ突出した軸６４が設けられており、この軸６４には回転自在にコードリール７０が取り付けられている。そして、コードリール７０が風路ケース５５を介して電動送風機６０と一体となっている。このコードリール７０は、風路ケース５５の外ケース５７の外周囲を覆った環状の巻取部７１を備えていて、電動送風機６０の外周に取り付けられた状態となっている。この巻取部７１はゼンマイ７２の付勢力によって回動してコード(図示せず)を巻き取っていく。
【００２８】
外ケース５７の軸６４には保持部材７５が取り付けられており、この保持部材７５は、下ケース２０の支持壁２５と上ケース３０の支持壁３３に挟持されて外ケース５７の軸６４を上下ケース２０,３０に固定するものである。
【００２９】
排気風路管８０は、図８および図９に示すように、中間部を上下方向に大きく形成し、その両端で小さくなるとともに側方（図８において上方）に向けて接続口８１,８２を形成した風路体から構成されている。この排気風路管８０は長手方向に沿って左右に２分割された半割体８０Ａ,８０Ｂを接合して構成したものである。排気風路管８０は射出成型することができない形状となっているが、２分割された半割体８０Ａ,８０Ｂにすることにより、各半割体８０Ａ,８０Ｂを射出成型することができる。この射出成型により接続口８１,８２の内径の寸法精度や排気風路管８０の内部の寸法精度を出すことができる。
【００３０】
前端面板１００は、下ケース２０および上ケース３０の前端部に取り付けられて集塵ケース４１の前面を覆うように、平面状の端板部１０１と、この端板部１０１の周囲に形成したフランジ部１０２とを有している。端板部１０１には接続口１２を有している。この接続口１２にホース１３の一端を接続すると、ホース１３の内ホース１３Ａが集塵ケース４１の接続管４５の内管４５Ａに連通し、ホース１３の外ホース１３Ｂがその接続管４５の外管４５Ｂに連通するようになっている。
【００３１】
次に、上記のように構成される電気掃除本体１１の組み付け方を説明する。
【００３２】
先ず、内ケース５６内に電動送風機６０を固定した風路ケース５５を整流板５２を介して集塵ケース４１に取り付け、さらに、風路ケース５５の外周囲にコードリール７０を取り付けて集塵ユニット１２０を組み付ける。そして、集塵ユニット１２０の集塵ケース４１の下側に制御部９０を取り付け、排気風路管８０の接続口８１を接続管４５の接続口４６に接続し、その接続口８２を風路ケース５５の接続口５７cに接続して排気風路管８０を集塵ユニット１２０に一体化させる。また、外ケース５７の軸６４に保持部材７５を取り付けておく。
【００３３】
排気風路管８０は、接続口８１,８２を接続管４５,風路ケースの接続口４６,５７c内に嵌入させて取り付けるものであるから、その取り付けは簡単に行うことができる。
【００３４】
次に、この集塵ユニット１２０を図３および図４に示すように下ケース２０に載置する。この際、下ケース２０の支持リブ２６に風路ケース５５を載せるとともに、外ケース５７の軸６４に取り付けた保持部材７５を下ケース２０の支持壁２５に載置させる。そして、集塵ケース４１のネジボス４８,４９を下ケース２０のネジボス２７,２８に接合し、図示しないネジにより固定して集塵ケース４１を下ケース２０に固定する。
【００３５】
次いで、上ケース３０を集塵ユニット１２０の上から被せて、上ケース３０のネジボス３５と下ケース２０のネジボスＮＢとを接合して図示しないネジにより固定する。この固定により上ケース３０が下ケース２０に固定され、習字ユニット１２０が上下ケース３０,２０に覆われる状態となる。上下ケース３０,２０の固定により、上ケース３０の押さえリブ３４と下ケース２０のリブ２６とによって集塵ユニット１２０の風路ケース５５を挟持する状態となり、さらに、外ケース５７の軸６４に取り付けた保持部材７５が下ケース２０の支持壁２５と上ケース３０の支持壁３３により挟持される。
【００３６】
また、上ケース３０の当接部Ｔa,Ｔbが集塵ケース４１の前後の上端に当接して、集塵ケース４１を上ケース３０と下ケース２０とで挟持することになる。さらに、上ケース３０のリブ３８が排気風路管８０の一側面（８０Ａ）を押さえる状態となる。
【００３７】
そして、下ケース２０および上ケース３０の前に前端面板１００を取り付けて、電気掃除機本体１１の組付けは完了する。
【００３８】
このように、集塵ユニット１２０を下ケース２０に載置し、この上から上ケース３０を取り付ければよいので、掃除機本体１１の組み付けを簡単に行うことができる。また、一体となった集塵ユニット１２０が背骨のような役割を果たすので、上下ケース２０,３０の肉厚を厚くせずに掃除機本体１１の強度を大きくすることができる。さらに、電動送風機６０から排気される空気を排気風路管８０によってホース１３の方へ循環させるようにしたので、上下ケース２０,３０によって循環風路を形成せずに済み、このため、上下ケース２０,３０を単純な形状にすることができる。
【００３９】
さらに、電動送風機６０の周囲にコードリール７０を設けたので、掃除機本体１１の小型化を図ることができる。また、上ケース３０のリブ３８が排気風路管８０の一側面を押さえる状態となるので、排気圧によって排気風路管８０の接続口８１,８２が接続管４５,風路ケースの接続口４６,５７cから外れてしまうことを防止することができる。
【００４０】
電動送風機６０のＤＣブラシレスモータはインバータ制御によって駆動されるので、そのモータから発生する熱を最小限に押さえることができ、このため、循環する空気の温度が高温になってしまうことを防止することができる。
【００４１】
上記実施形態では、集塵ユニット１２０は、集塵ケース４１と整流板５２と風路ケース５５と電動送風機６０とコードリール７０とで構成しているが、これに制御部９０を一体にして集塵ユニットとしてもよい。また、コードリール７０を別体にしてもよい。さらに、集塵ユニット１２０を集塵ケース４１と整流板５２と電動送風機６０とだけで集塵ユニットを構成してもよい。
【００４２】
また、上記実施形態では循環式の電気掃除機について説明したが、循環式でなくてもよいことは勿論である。
【００４３】
【発明の効果】
以上説明したように、請求項１の発明によれば、集塵室とこの集塵室を負圧にする電動送風機とが設けられた掃除機本体と、底面に吸込開口が形成されるとともに前記集塵室に連通される吸込室を有する吸込口体とを備え、前記電動送風機から排気される空気を前記吸込口体の吸込室へ循環させる電気掃除機であって、前記集塵室を形成した集塵ケースと前記電動送風機とを一体化してユニットを形成し、前記電動送風機から排気される空気を吸込口体へ循環させるための循環風路を前記ユニットに一体に設け、このユニットと循環風路とを本体ケースで覆ったものであるから、本体ケースで循環風路を形成する必要がなく、このため循環風路の構造を簡単にすることができ、しかも本体ケースの構造も簡単にすることができる。
【００４４】
請求項２の発明によれば、循環風路を外付けのパイプで形成したものであるから、循環風路の取り付けを簡単に行うことができる。
【００４５】
請求項３の発明によれば、パイプは、長手方向に沿って２分割された半割体で構成されているものであるから、パイプが射出成型することができない形状であっても、半割体を射出成型することができ、このため、パイプ内の寸法精度を出すことができる。
【００４６】
請求項４の発明は、パイプとユニットとの接合部が外れないように、ユニットを覆う本体ケースの内側に突部を設けてパイプを押さるようにしたものであるから、ユニットからの排気圧によってパイプが外れてしまうことが防止される。
【図面の簡単な説明】
【図１】この発明に係る電気掃除機の外観を示した斜視図である。
【図２】図１に示す電気掃除機本体の構成を示した分解斜視図である。
【図３】下ケースに集塵ユニットを取り付けた状態を示した斜視図である。
【図４】図３に示す下ケースおよび集塵ユニットの断面図である。
【図５】集塵ユニットの風路を示した説明図である。
【図６】上ケースを示した断面図である。
【図７】上ケースをひっくり返した状態を示した断面図である。
【図８】排気風路管を示した平面図である。
【図９】排気風路管を示した側面図である。
【符号の説明】
１１          掃除機本体
２０          下ケース
３０          上ケース
４０          集塵室
４１          集塵ケース
６０          電動送風機
８０          排気風路管
１２０          集塵ユニット（ユニット）
【図１】
0003805594.tif 000002
【図２】
0003805594.tif 000003
【図３】
0003805594.tif 000004
【図４】
0003805594.tif 000005
【図５】
0003805594.tif 000006
【図６】
0003805594.tif 000007
【図７】
0003805594.tif 000008
【図８】
0003805594.tif 000009
【図９】
0003805594.tif 000010